(57)【特許請求の範囲】
【請求項１】
走行車体３の後部に設けた昇降リンク機構２６を介して装着された各条の種子繰出部７１…を備える播種装置４と、走行車体３の後部に配置された各条の肥料繰出部３５…を備える施肥装置１とが設けられ、前記播種装置４には種子繰出部７１…の前側に左右方向に長い播種エアチャンバ−７３が設けられ、前記施肥装置１には肥料繰出部３５…の前側に左右方向に長い施肥エアチャンバ−３７が設けられ、肥料繰出部３５…から繰り出された肥料が各条の肥料移送管４１…を介して各条の第一吐出口４２…から吐出されると共に、種子繰出部７１…から繰り出された種子が各条の種子移送管７５…を介して各条の第二吐出口７６…から吐出されるように設けられ、前記肥料移送管４１…が前記種子移送管７５…より長く構成された粉粒体吐出機において、肥料の移送を促す圧力風が送風機３８より施肥エアチャンバ−３７を介して該施肥エアチャンバ−３７の後部に設けた前記肥料移送管４１…へ供給され、種子の移送を促す圧力風が播種エアチャンバ−７３を介して該播種エアチャンバ−７３の後部に設けた前記種子移送管７５…へ供給される構成とし、施肥エアチャンバ−３７の後部に吹出口３７ｂが設けられ、播種エアチャンバ−７３の前部に吸込口７３ｂが設けられ、該吸込口７３ｂには前方へ延びる播種空気供給管７７を取り付けて該播種空気供給管７７の他端が前記吹出口３７ｂに取り付けられ、施肥エアチャンバ−３７内の圧力風が播種空気供給管７７を介して播種エアチャンバ−７３内に供給される構成とした粉粒体吐出機。
【発明の詳細な説明】
【０００１】
【発明の属する技術分野】
この発明は、粒状の肥料を施肥する施肥機や圃場に播種する播種機あるいは施肥作業をしながら播種する構成の施肥播種機等の粉粒体を吐出する粉粒体吐出機に関するものである。
【０００２】
【従来の技術】
従来、粉粒体吐出機の一例として、特開昭６０−１９２５０５号公報に示されるように、施肥作業をしながら圃場に種子を播種する構成の施肥播種機がある。この施肥播種機は、施肥装置の肥料繰出部から繰り出された肥料が肥料移送管を介して施肥部から吐出されると共に、播種装置の種子繰出部から繰り出された種子が種子移送管を介して播種部から吐出され、圃場に施肥及び播種を行うようになっている。尚、この施肥播種機は、前記肥料移送管が前記種子移送管より長く構成され、前記肥料移送管及び前記種子移送管において肥料あるいは種子が重力により下降して移送される構成となっている。
【０００３】
【発明が解決しようとする課題】
上記従来技術の粉粒体吐出機は、粉粒体を移送する肥料移送管において粉粒体の一種である肥料が重力により下降して移送され、粉粒体を移送する種子移送管において粉粒体の一種である種子が重力により下降して移送されるようになっているので、上記肥料繰出部や上記種子繰出部の肥料又は種子の繰出量が多くなったりしたとき、肥料移送管や種子移送管において肥料又は種子が詰まって上記施肥部又は播種部による適正な施肥又は播種が行えないことがある。そこで、肥料移送管や種子移送管において強制的に肥料あるいは種子を移送するべく該肥料移送管及び該種子移送管へ圧力風を供給することが考えられる。ところが、前記肥料移送管が前記種子移送管より長く構成されているので、該肥料移送管と該種子移送管とに同等の風力の圧力風を供給すると、長く構成された肥料移送管に粉粒体の一種である肥料が詰まりやすくなる。また、前記肥料移送管及び前記種子移送管のそれぞれに圧力風を供給するための送風機をそれぞれ設けるとコスト面で不利となってしまう。
【０００４】
【課題を解決するための手段】
この発明は、上記課題を顧みて、次の技術的手段を講じた。
すなわち、走行車体３の後部に設けた昇降リンク機構２６を介して装着された各条の種子繰出部７１…を備える播種装置４と、走行車体３の後部に配置された各条の肥料繰出部３５…を備える施肥装置１とが設けられ、前記播種装置４には種子繰出部７１…の前側に左右方向に長い播種エアチャンバ−７３が設けられ、前記施肥装置１には肥料繰出部３５…の前側に左右方向に長い施肥エアチャンバ−３７が設けられ、肥料繰出部３５…から繰り出された肥料が各条の肥料移送管４１…を介して各条の第一吐出口４２…から吐出されると共に、種子繰出部７１…から繰り出された種子が各条の種子移送管７５…を介して各条の第二吐出口７６…から吐出されるように設けられ、前記肥料移送管４１…が前記種子移送管７５…より長く構成された粉粒体吐出機において、肥料の移送を促す圧力風が送風機３８より施肥エアチャンバ−３７を介して該施肥エアチャンバ−３７の後部に設けた前記肥料移送管４１…へ供給され、種子の移送を促す圧力風が播種エアチャンバ−７３を介して該播種エアチャンバ−７３の後部に設けた前記種子移送管７５…へ供給される構成とし、施肥エアチャンバ−３７の後部に吹出口３７ｂが設けられ、播種エアチャンバ−７３の前部に吸込口７３ｂが設けられ、該吸込口７３ｂには前方へ延びる播種空気供給管７７を取り付けて該播種空気供給管７７の他端が前記吹出口３７ｂに取り付けられ、施肥エアチャンバ−３７内の圧力風が播種空気供給管７７を介して播種エアチャンバ−７３内に供給される構成とした粉粒体吐出機とした。
【０００５】
【作用】
本発明の粉粒体吐出機は、肥料繰出部、種子繰出部及び送風機を作動させることにより、送風機からの圧力風が施肥エアチャンバ−を介して肥料移送管に供給され、前記肥料繰出部から繰り出された肥料が前記肥料移送管により第一吐出口に移送され吐出する。また、送風機からの圧力風が播種エアチャンバ−を介して種子移送管に供給され、種子繰出部から繰り出された種子が前記種子移送管により第二吐出口に移送され吐出する。また、施肥エアチャンバ−内の圧力風が播種空気供給管を介して播種エアチャンバ−内に供給される構成とすることにより、送風機からの圧力風が種子移送管より圧力風の流れの上手側で肥料移送管へ供給されるので、前記種子移送管へ供給される圧力風の風力より前記肥料移送管へ供給される圧力風の風力が大きくなる。
【０００６】
【発明の効果】
従って、種子移送管へ供給される圧力風の風力より肥料移送管へ供給される圧力風の風力が大きくなるので、前記種子移送管より長く構成されて粉粒体が詰まりやすい前記肥料移送管に肥料が詰まるのを抑えることができ、長さの異なる前記肥料移送管と前記種子移送管のそれぞれに粉粒体を移送するのに適当な風力の圧力風を供給することができる。
【０００７】
【発明の実施の形態】
この発明の実施の一形態を図面に基づき説明する。
図１は、水田等の圃場に直接粉粒体の一種である種籾を播種する播種機に粒状の肥料の施肥を行う施肥装置１が装着された施肥播種機２を示している。この施肥播種機２は、主として走行車体３と６条分の施肥装置１及び播種装置４とで構成される。
【０００８】
走行車体３の前後左右略中央に駆動源であるエンジン５が備えられ、このエンジン５からの動力によりエンジン出力ベルト６を介して２連プ−リ７と一体回転する中継軸８を駆動する。この中継軸８には油圧ポンプ９が設けられており、この油圧ポンプ９はエンジン５の駆動に伴って駆動されるようになっている。また、前記２連プ−リ７の他側となる駆動プ−リ７ａから伝動ベルト１０を介して主ミッションケ−ス１１の入力軸１１ａと一体回転する従動プ−リ１２が駆動することにより、主ミッションケ−ス内に動力が伝達される構成となっている。尚、前記駆動プ−リ７ａ及び前記従動プ−リ１２は割りプ−リで構成されて、該駆動プ−リ７ａ、該従動プ−リ１２及び前記伝動ベルト１０はこれらのプ−リ７ａ，１２の割り幅を変更して主ミッションケ−ス１１内への伝動の伝達比を無段変速する無段変速装置１３となっている。そして、主ミッションケ−ス１１内の動力により、該主ミッションケ−ス１１の左右両端部に突出した前輪駆動軸１４ａ，１４ａの駆動で左右の前輪１４，１４が駆動回転され、主ミッションケ−ス１１から左右それぞれの後輪伝動軸１５，１５を介して左右の後輪伝動ケ−ス１６，１６内に伝動され該後輪伝動ケ−ス１６，１６に設けられた後輪駆動軸１７ａ，１７ａの駆動で左右の後輪１７，１７が駆動されるようになっている。従って、走行車体３は、前記前輪１４，１４及び後輪１７，１７が駆動されて走行する構成となっている。また、前記主ミッションケ−ス１１からの動力が、前記エンジン５の右側方を通過するように設けられた播種伝動軸１８により播種装置４へ動力が伝達されるようになっている。尚、前記播種伝動軸１８の中途部にはクラッチケ−ス１９が設けられ、該クラッチケ−ス１９により分岐して取り出される動力が施肥装置１へ伝達される構成となっている。尚、前記クラッチケ−ス内には、播種装置４及び施肥装置１の駆動の入切を行うクラッチ（図示せず）が設けられている。
【０００９】
また、走行車体３には、前記エンジン５の上側に操縦席２０が設けられ、該操縦席２０の前側にステアリングハンドル２１が設けられている。該ステアリングハンドル２１の右側には、前記無段変速装置１３の変速操作が行える副変速レバ−２２が設けられている。また、前記ステアリングハンドル２１の左側には主変速レバ−２３が設けられ、この主変速レバ−２３の操作により主ミッションケ−ス１１内のギヤの噛み合いを切り替えて機体の車速を「路上走行速」、「播種作業速」及び「後進速」に切り替えられるようになっている。前記ステアリングハンドル２１の下方の左側には主クラッチペダル２４が設けられ、この主クラッチペダル２４の踏み込み操作により主ミッションケ−ス１１内の主クラッチ（図示せず）を操作して走行車輪１４，１４，１７，１７、播種装置４及び施肥装置１への動力を断つようになっている。操縦席２０の右側には、前記クラッチケ−ス内のクラッチを操作することで播種装置４及び施肥装置１への伝動の入切が可能な播種・昇降レバ−２５が設けられている。
【００１０】
また、この走行車体３の後部には、昇降リンク機構２６が枢支されている。この昇降リンク機構２６は、１本の上リンク２６ａと平面視左右方向において前記上リンク２６ａを挟むように配設された２本の下リンク２６ｂ，２６ｂとで構成される。播種装置４は、前記昇降リンク機構２６の後端部に設けられた縦リンク２６ｃを介して走行車体３の後側に装着された構成となっている。前記播種装置４は、油圧ポンプ９からの油圧により作動する油圧昇降シリンダ２７の伸縮により前記昇降リンク機構２６が上下に回動することによって昇降するように設けられている。尚、前記播種・昇降レバ−２５の操作により、前記昇降リンク機構２６を回動させて、播種装置を昇降できるようになっている。
【００１１】
播種装置４は、クラッチケ−ス１９からの動力が入力される播種伝動部３０からの動力の伝達により作動する構成となっている。また、播種装置４の下部には中央部にセンタ−フロ−ト３１及び両側部にサイドフロ−ト３２，３２が設けられており、播種作業時に圃場面を滑走するようになっている。前記フロ−ト３１，３２，３２は、左右方向の回動軸３３，３３，３３回りに回動自在に支持され、前後傾斜姿勢が変更可能に設けられている。播種装置４による播種作業を行うべく前記播種・昇降レバ−２５により播種装置４を下降させて前記フロ−ト３１，３２，３２を圃場面に接地させ走行車体３を走行させると、前記センタ−フロ−ト３１の前後傾斜姿勢が所定の傾斜姿勢となるよう前記昇降リンク機構２６を回動させることにより播種装置４及び前記フロ−ト３１，３２，３２が昇降制御される。
【００１２】
施肥装置１は、粒状の肥料を貯留する肥料ホッパ３４、該肥料ホッパ３４内の肥料を所定量づつ繰り出す各条の肥料繰出部３５…、該肥料繰出部３５…から繰り出される肥料の移送を案内する各条の案内管３６…、該案内管３６…に圧力風を供給する施肥エアチャンバ−３７及び該施肥エアチャンバ−３７に圧力風を供給する送風機３８を備えて構成される。また、前記送風機３８は、走行車体３の前部に配置したバッテリ−３９を駆動源として駆動される構成となっている。前記施肥装置４は、前記肥料繰出部３５…から繰り出される肥料を肥料繰出口４０…を介して前記案内管３６…に落下供給し、施肥エアチャンバ−３７からの圧力風により前記案内管３６…及び各条の肥料移送管４１…を介して該肥料移送管終端に設けられた各条の施肥部４２…へ肥料を移送して、圃場に６条分の施肥を行う構成となっている。尚、前記肥料移送管４１…は、フレキシブルなチュ−ブにより構成されている。
【００１３】
施肥エアチャンバ−３７は、左右方向に長い筒状に構成されており、各条の肥料繰出部３５…の前側に設けられている。この施肥エアチャンバ−３７の左端部には前記送風機３８が取り付けられており、該送風機３８の吐出口３８ａが前記施肥エアチャンバ−３７の左端に設けられた構成となっている。尚、施肥エアチャンバ−３７の右端は、閉ざされた構成となっている。また、施肥エアチャンバ−３７の後部には各条の前記案内管３６…に圧力風を供給するための吹出口３７ａ…がそれぞれ設けられ、この吹出口３７ａ…に前記案内管３６…が取り付けられている。また、施肥エアチャンバ−３７の後部の左右中央には、播種装置４に圧力風を供給するための吹出口３７ｂが設けられている。
【００１４】
前記施肥部４２は、作溝器４３を備えて構成されている。この作溝器４３は、前記肥料移送管４１とブ−ツ４４により接続され、圃場面を滑走するフロ−ト３１，３２，３２に取り付けられている。前記作溝器４３の前側には作溝突起４３ａが設けられ、この作溝突起４３ａが機体前進に伴って圃場の泥土を左右方向及び下方向に押し分けて作溝し、その作溝された溝内に肥料が施肥エアチャンバ−３７からの圧力風により供給されるようになっている。また、作溝器４３の後方にはそれぞれ覆土板４５が設けられ、この覆土板４５により機体の前進に伴って前記作溝器４３が作った溝を埋めて圃場に施肥された肥料に覆土するようになっている。尚、前記覆土板４５は、前記フロ−ト３１，３２，３２にそれぞれ取り付けられている。
【００１５】
各条の肥料繰出部３５…を構成する繰出部ケ−ス３５ａ…と案内管３６…とは、前記施肥エアチャンバ−３７に溶接された取付台にそれぞれボルトにより取付固定されている。そして、肥料ホッパ３４が前記繰出部ケ−ス３５ａ…に取り付けられた構成となっている。尚、前記施肥エアチャンバ−３７は、走行車体３の後部の縦フレ−ム４６，４６に取り付けられている。従って、肥料繰出部３５…は、走行車体３の後部に配置された構成となっている。
【００１６】
前記肥料繰出部３５…の駆動構成について説明すると、クラッチケ−ス１９からの駆動により回転駆動する施肥駆動ア−ム（図示せず）に連結された施肥駆動ロッド４９が上下動することにより、施肥繰出駆動ア−ム５０が駆動され施肥駆動軸５１が駆動される。尚、該施肥駆動軸５１と前記施肥繰出駆動ア−ム５０との間には一方向クラッチ５２が設けられ、前記施肥駆動ロッド４９の上動に伴って施肥駆動軸５１が一定方向（図４視で左回り）に回動するようになっている。そして、施肥駆動軸５１には該駆動軸５１と一体回転可能な各２条毎の駆動プ−リ５３，５３，５３が設けられている。該プ−リ５３，５３，５３から開度調節軸５４に対して遊転するアイドルプ−リ５５，５５，５５を介したベルト５６，５６，５６の伝動により駆動される従動プ−リ５７，５７，５７と一体回転する各２条毎の繰出軸５８…が駆動され、該繰出軸５８…の駆動により繰出ロ−ラ５９…が駆動回転される構成となっている。
【００１７】
次に、繰出部３５の構成について説明する。
繰出部３５の繰出ロ−ラ５９の外周面には、回転方向の一定角度毎に繰出溝６０…が設けられており、その繰出溝６０…にホッパ３４から落下供給される肥料を溜めて該ロ−ラ５９を回動することによって繰出口４０に肥料が繰り出される構成となっている。尚、繰出部３５の繰出ロ−ラ５９の前側には該ロ−ラ外周面と接触するブラシ６１が設けられており、繰出溝６０…から溢れた肥料を掻き除くように構成される。また、前記従動プ−リ５７と一体回転する繰出軸５８に嵌合する歯車回動軸６２に対して回動することにより回動軸方向に移動する歯車６３が設けられ、該歯車６３は開度調節軸５４の小歯車６４と噛み合う。歯車６３に設けられた調節輪６５から突出し前記繰出溝６０…に嵌合する複数の突子６６…が歯車６３の回動によって繰出溝６０…方向に移動可能とすることで繰出溝６０…の有効長さを変更し、肥料の繰出量を調節するようになっている。従って、繰出量調節は、開度調節軸５４の右端に設けられた開度調節ハンドル６７で前記開度調節軸５４を回動させて各条の前記小歯車６４…を回転させ調節する構成となっている。尚、施肥エアチャンバ−３７の右端には前記開度調節ハンドル６７を係止する係止具６８が設けられ、該係止具６８に開度調節ハンドル６７を係止することで繰出軸５８…の駆動により開度調節軸５４が回動しないようにして、作業中に肥料の繰出量が変化しないように構成している。
【００１８】
播種装置４は、種子を貯留する種子ホッパ７０、該種子ホッパ７０内の種子を所定量づつ繰り出す各条の種子繰出部７１…、該種子繰出部７１…から繰り出される種子の移送を案内する各条の案内管７２…、該案内管７２…に圧力風を供給する播種エアチャンバ−７３を備えて構成される。前記播種装置４は、施肥装置１と同様に前記種子繰出部７１…から繰り出される種子を種子繰出口７４…を介して前記案内管７２…に落下供給し、播種エアチャンバ−７３からの圧力風により前記案内管７２…及び各条の種子移送管７５…を介して該種子移送管７５…終端に設けられた各条の播種部７６…へ種子を搬送して、圃場に６条分の播種を行う構成となっている。尚、前記種子移送管７５…は、フレキシブルなチュ−ブにより構成されている。
【００１９】
播種エアチャンバ−７３は、施肥エアチャンバ−３７と同様に左右方向に長い筒状に構成されており、各条の種子繰出部７１…の前側に設けられている。尚、この播種エアチャンバ−７３の左右両端は、閉ざされた構成となっている。播種エアチャンバ−７３の後部には各条の前記案内管７２…に圧力風を供給するための吹出口７３ａ…がそれぞれ設けられ、この吹出口７３ａ…に前記案内管７２…が取り付けられている。また、播種エアチャンバ−７３の前部の左右中央には、該播種エアチャンバ−７３に圧力風を供給するための吸込口７３ｂが設けられている。そして、前記吸込口７３ｂには前方へ延びる播種空気供給管７７が取り付けられ、この播種空気供給管７７の他端が施肥エアチャンバ−３７の後部の左右中央の吹出口３７ｂに取り付けられている。従って、施肥エアチャンバ−３７内の圧力風が前記播種空気供給管７７を介して播種エアチャンバ−７３内に供給される構成となっている。すなわち、送風機３８からの圧力風が種子移送管７５…より圧力風の流れの上手側で肥料移送管４１…へ供給される構成となっている。尚、前記播種空気供給管７７は、フレキシブルなチュ−ブにより構成され、昇降リンク機構２６の作動により走行車体３に対する播種装置４の播種エアチャンバ−７３の上下動に追従するようになっている。
【００２０】
前記播種部７６は、作溝器７８を備えて構成されている。この作溝器７８は、施肥装置１の施肥部４２と同様に前記種子移送管７５とブ−ツ４４により接続され、圃場面を滑走するフロ−ト３１，３２，３２に取り付けられている。前記作溝器７８の前側には、作溝突起７８ａが設けられている。また、作溝器７８で作られた溝を覆土する覆土板７９が、該作溝器７８の後部に設けられている。この覆土板７９は、ゴム製の板で構成され、前記作溝器７８に設けられた取付ピン７８ｂに該覆土板７９の取付孔７９ａ，７９ａが挿入されて前記作溝器７８に取り付けられる構成となっている。
【００２１】
前記覆土板７９は、幅広に構成された両端部７９ｂ，７９ｂの板厚が異なっており、該両端部７９ｂ，７９ｂ及び中央部７９ｃにそれぞれ前記取付孔７９ａ，７９ａ，７９ａが設けられている。そして、覆土板７９を作溝器７８に取り付けるときは、前記両端部７９ｂ，７９ｂのうちの一方に設けられた取付孔７９ａと前記中央部７９ｃの取付孔７９ａが作溝器７８の同一の前記取付ピン７８ｂに挿入されるように覆土板７９の一部を折り重ねた状態で取り付ける。従って、覆土板７９の両端部７９ｂ，７９ｂのうちの他方の部分が圃場に接地して覆土するようになっている。そして、前記取付ピン７８ｂに挿入された前記両端部７９ｂ，７９ｂのうちの一方の取付孔７９ａを該取付ピン７８ｂから外した状態で前記中央部７９ｃの取付孔７９ａを中心に覆土板７９を前記取付ピン７８ｂ回りに１８０度回転させ、他方の取付孔７９ａを前記取付ピン７８ｂに挿入できるようになっている。これにより、覆土板７９の圃場に接地する部分の板厚を替えることで該覆土板７９が土壌に及ぼす覆土圧を調整し、前記取付孔７９ａの前記取付ピン７８ｂへの着脱による簡単な方法で播種される種子の覆土量を調節して土壌の硬軟に拘らず適正な播種深さにすることができる。
【００２２】
播種エアチャンバ−７３は、播種伝動部３０の播種伝動ケ−ス３０ａの後端部にボルトにより固着された左右の播種装置支持フレ−ム８０，８０に取り付けられている。そして、各条の種子繰出部７１…を構成する繰出部ケ−ス７１ａ…と案内管７２…とが、前記播種エアチャンバ−７３に溶接された取付台にそれぞれボルトにより取付固定されている。尚、種子ホッパ７０が、前記繰出部ケ−ス７１ａ…に取り付けられた構成となっている。従って、種子繰出部７１…は、走行車体３の後方に配置された構成となっている。
【００２３】
前記種子繰出部７１…の駆動構成について説明すると、播種伝動部３０の後端部に設けられた駆動軸３０ｂの駆動により回転駆動する播種駆動ア−ム８１に連結された播種駆動ロッド８２が上下動することにより、播種繰出駆動ア−ム８３が駆動され播種駆動軸８４が駆動される。尚、該播種駆動軸８４と前記播種繰出駆動ア−ム８３との間には一方向クラッチ５２が設けられ、前記播種駆動ロッド８２の上動に伴って播種駆動軸８４が一定方向（図４視で左回り）に回動するようになっている。そして、播種駆動軸８４には該駆動軸８４と一体回転可能な各２条毎の駆動プ−リ５３，５３，５３が設けられている。該プ−リ５３，５３，５３から開度調節軸５４に対して遊転するアイドルプ−リ５５，５５，５５を介したベルト５６，５６，５６の伝動により駆動される従動プ−リ５７，５７，５７と一体回転する各２条毎の繰出軸５８…が駆動され、該繰出軸５８…の駆動により繰出ロ−ラ５９…が駆動回転される構成となっている。
【００２４】
播種装置１の種子繰出部７１の構成は、施肥装置４の肥料繰出部３５と同一であるため説明を省略する。
【００２５】
ところで、施肥装置１の施肥部４２は、播種装置４の播種部７６と機体の左右方向において所定量異ならせて配置されている。従って、この施肥播種機２は、圃場内を走行車体３を走行させて播種装置４により６条分の播種を行うと共に、前記播種装置４の播種位置の側方の所定位置に施肥装置１により６条分の施肥を行う構成となっている。
【００２６】
また、播種装置４の播種伝動ケ−ス３０ａに固着されたフレ−ム部８５には、各２条毎の施肥及び播種の作動の入切が可能な条クラッチレバ−８６，８６，８６が設けられている。すなわち、この条クラッチレバ−８６，８６，８６の操作により、各２条毎の施肥装置１の肥料繰出部３５…及び播種装置４の種子繰出部７１…の繰出の作動を入切できるようになっている。よって、圃場の広さ等により施肥及び播種を６条分同時に行わないときは、必要に応じて各２条毎の条クラッチレバ−８６，８６，８６の操作により肥料繰出部３５…及び種子繰出部７１…の繰出の作動を停止させることができる。
【００２７】
また、この施肥播種機２は、種子より重量の大きい粒状肥料を貯留する施肥装置１の肥料ホッパ３４が播種装置４の種子ホッパ７０より機体前後方向で機体の中央寄りに配置されて、機体の前後バランスの向上が図られている。また、種子より使用量の多い粒状肥料を貯留する肥料ホッパ３４が走行車体部分に設けられ、種子ホッパ７０より補給回数が多くなる肥料ホッパ３４への肥料補給が走行車体３から行えるように構成されており、肥料補給の容易化が図られている。また、種子ホッパ７０は、一体に構成されており、圃場内で機体の後部を畦に接近させての前記種子ホッパ７０ヘ種子を補給する作業が６条分一度に行えるようになっている。
【００２８】
以上により、この施肥播種機２は、走行車体３を走行させながら施肥装置１の肥料繰出部３５…、播種装置４の種子繰出部７１…及び送風機３８を作動させることにより、走行車体３の後部に設けられた肥料繰出部３５…の肥料繰出口４０…より前側にある送風機３８の吐出口３８ａからの圧力風が施肥エアチャンバ−３７で構成される送風管路を介して肥料移送管４１…に供給され、前記肥料繰出部３５…から繰り出された肥料が前記肥料移送管４１…により走行車体３の後方のフロ−ト３１，３２，３２に設けられた施肥部４２…に移送され圃場に施肥を行っていく。また、前記送風機３８の吐出口３８ａからの圧力風が施肥エアチャンバ−３７、播種空気供給管７７及び播種エアチャンバ−７３で構成される種子移送用の送風管路を介して走行車体３の後方に設けられた種子移送管７５…に供給され、種子繰出部７１…から繰り出された種子が前記種子移送管７５…により走行車体３の後方に設けられた播種部７６…に移送され圃場に播種を行っていく。
【００２９】
従って、送風機３８の吐出口３８ａが肥料繰出部３５…の肥料繰出口４０…より前側にあるので、前記肥料繰出部３５…から走行車体３の後方のフロ−ト３１，３２，３２に設けられた施肥部４２…に肥料を移送するのにあたって種子移送管７５…と比較して長く且つ前後方向に移送するように設けられた肥料移送管４１…に前記送風機３８の吐出口３８ａから施肥エアチャンバ−３７を介して風力の大きい圧力風が供給される。
【００３０】
また、種子移送管７５…に前記送風機３８の吐出口３８ａから施肥エアチャンバ−３７、播種空気供給管７７及び播種エアチャンバ−７３を介して供給されるので、播種空気供給管７７及び播種エアチャンバ−７３の管路抵抗により種子移送管７５…の圧力風は肥料移送管４１…のものと比較して風力の小さい圧力風となる。また、昇降リンク機構２６の作動で施肥エアチャンバ−３７に対して播種エアチャンバ−７３が上下動するのに伴って播種空気供給管７７が様々な形状に屈曲することにより、播種空気供給管７７の管路抵抗が変化して種子移送管７５…内の圧力風の風力が変化して不安定となる。ところが、種子移送管７５…は、走行車体３の後方に設けられた種子繰出部７１…からフロ−ト３１，３２，３２に設けられた播種部７６…に種子を移送するのにあたって肥料移送管４１…と比較して短く且つ前後方向への移送が少なく風力の小さい圧力風でも種子を移送できる。従って、前記種子移送管７５…と比較して肥料移送管４１…に安定した風力の大きい圧力風を供給し、肥料移送管４１…及び種子移送管７５…のそれぞれに粉粒体を移送するのに適当な風力の圧力風を供給できる。よって、肥料移送管４１…の圧力風の風力が小さ過ぎて該肥料移送管４１…内に肥料が詰まったり種子移送管７５…の圧力風の風力が小さ過ぎて該種子移送管７５…内に種子が詰まったり、あるいは肥料移送管４１…の圧力風の風力が大き過ぎて該肥料移送管４１…の圧力風により施肥部４２…から吐出される肥料が土壌内に埋まり過ぎて施肥深さが深くなったり種子移送管７５…の圧力風の風力が大き過ぎて該種子移送管７５…の圧力風により播種部７６…から吐出される種子が土壌内に埋まり過ぎて播種深さが深くなったりすることがなく、適切に施肥作業及び播種作業が行える。
【００３１】
以上により、この施肥播種機２は、単一の送風機３８から圧力風の入口が互いに前後に離れている肥料移送管４１…と種子移送管７５…へ合理的に圧力風を供給することができる。
【００３２】
図１１に示す発明の実施の形態は、送風機３８の左右に吐出口３８ａ，３８ａを設け、それぞれの前記吐出口３８ａ，３８ａから施肥エアチャンバ−３７、播種エアチャンバ−７３に圧力風を供給するようにしたものである。前記播種エアチャンバ−７３への圧力風の供給はフレキシブルなチュ−ブにより構成される播種空気供給管７７を介して行われ、種子移送管７５…へ供給される圧力風の風力が肥料移送管４１…の圧力風の風力より小さくなるようにした構成である。
【００３３】
また、図１２に示す施肥播種機２は、播種装置４の種子ホッパ７０が播種伝動ケ−ス３０ａに固着されたフレ−ム部８７に取り付けられた前後移動レ−ル８８を介して設けられ、前記ホッパ７０と各条の種子繰出部７１…とをフレキシブルなチュ−ブで構成される種子供給管８９…で接続した構成となっている。この施肥播種機２は、種子ホッパ７０を前記前後移動レ−ル８８に沿って前後移動させることにより、該種子ホッパ７０を施肥装置１の肥料ホッパ３４の直後と種子繰出部７１…の上方となる機体の後部とに配置できるようになっている。従って、走行車体側から種子ホッパ７０に種子を補給したいときは該種子ホッパ７０を施肥装置１の肥料ホッパ３４の直後に配置させ、圃場内で機体の後部を畦に接近させて畦から種子ホッパ７０ヘ種子を補給したいときは該種子ホッパ７０を種子繰出部７１…の上方となる機体の後部に配置させるようになっている。尚、種子ホッパ７０を肥料ホッパ３４の直後に配置させたとき前記種子ホッパ７０が前記肥料ホッパ３４より若干上側に突出するように構成されており、該肥料ホッパ３４の前側から該種子ホッパ７０に種子を補給する作業が行い易いようにしている。
【００３４】
尚、この発明の実施の形態は施肥播種機について詳述したが、本発明は施肥播種機に限定されるものではない。
【図面の簡単な説明】
【図１】施肥播種機の側面図
【図２】施肥播種機の平面図
【図３】施肥装置（播種装置）の背面図
【図４】施肥装置（播種装置）の一部を示す側面断面図
【図５】肥料繰出部（種子繰出部）を示す背面断面図
【図６】施肥部を示す側面一部断面図
【図７】播種部を示す側面一部断面図
【図８】播種部の覆土板の平面図
【図９】播種部の覆土板の側面断面図
【図１０】送風機からの加圧空気の供給経路を示した平面図
【図１１】他の送風機からの加圧空気の供給経路を示した平面図
【図１２】他の施肥播種機の側面図
【符号の説明】
１…施肥装置、２…施肥播種機、３…走行車体、４…播種装置、２６…昇降リンク機構、３５…肥料繰出部、３７…施肥エアチャンバ−、３７ｂ…吹出口、３８…送風機、３８ａ…吐出口、４０…肥料繰出口、４１…肥料移送管、４２…施肥部（第一吐出口）、７１…種子繰出部、７３…播種エアチャンバ−、７３ｂ…吸込口、７５…種子移送管、７６…播種部（第二吐出口）、７７…播種空気供給管
【図１】
0003629914.tif 000002
【図２】
0003629914.tif 000003
【図３】
0003629914.tif 000004
【図４】
0003629914.tif 000005
【図５】
0003629914.tif 000006
【図６】
0003629914.tif 000007
【図７】
0003629914.tif 000008
【図８】
0003629914.tif 000009
【図９】
0003629914.tif 000010
【図１０】
0003629914.tif 000011
【図１１】
0003629914.tif 000012
【図１２】
0003629914.tif 000013